(57)【特許請求の範囲】
【請求項１】
被洗浄物（５）が取り付けられた縦ロープ（１２）を搬送体（１）と押し具（４）の間を通過させ、その通過中に被洗浄物（５）及び縦ロープ（１２）に洗浄具（６）から液体を噴射してそれらを洗浄する洗浄装置において、前記搬送体（１）は通孔（２）が多数形成された穴開き材（３）により横向きドラム状に形成して回転自在とし、その搬送体（１）の外側に押し具（４）を設け、前記搬送体（１）の内側と外側に搬送体（１）と押し具（４）の間を通過する被洗浄物（５）及び縦ロープ（１２）に洗浄液を吹き付けてそれらを洗浄する洗浄具（６）を設けたことを特徴とする洗浄装置。
【請求項２】
被洗浄物（５）が取り付けられた縦ロープ（１２）を搬送体（１）と押し具（４）の間を通過させ、その通過中に洗浄具（６）から液体を噴射して被洗浄物（５）及び縦ロープ（１２）を洗浄する洗浄装置において、前記搬送体（１）は通孔（２）が多数形成された穴開き材（３）により横向きドラム状に形成して回転自在とし、前記搬送体（１）及び洗浄具（６）が筐体（８０）内に収納され、前記筐体（８０）は入り口（８０ａ）と、出口（８０ｂ）と、側面（８３）に外側に向って開口された縦ロープ挿入口（８４）が形成され、縦ロープ挿入口（８４）は筐体（８０）のうち前記搬送体（１）の上側方に開口され且つ筐体（８０）の入り口（８０ａ）と出口（８０ｂ）に連通して開口されて、外部から導入される被洗浄物（５）が取り付けられた縦ロープ（１２）を筐体（８０）内の搬送体（１）の上に導入できることを特徴とする洗浄装置。
【請求項３】
請求項２記載の洗浄装置において、筐体（８０）内に被洗浄物（５）が取り付けられた縦ロープ（１２）を案内する案内バー（８５）が設けられ、案内バー（８５）は縦ロープ挿入口（８４）から導入される前記縦ロープ（１２）を筐体（８０）内の搬送体（１）の上方に案内して、その縦ロープ（１２）が搬送体（１）と筐体（８０）の入り口側の案内ドラム（１０）との間に落ち込むのを防止すると共に、当該縦ロープ（１２）を搬送体（１）の外周面上部に送り込むことができることを特徴とする洗浄装置。
【発明の詳細な説明】
【０００１】
【発明の属する技術分野】
本発明は耳吊り養殖した帆立貝、あこや貝、牡蠣、或は網篭に入れて海中で養殖した貝、或は昆布等に付着している汚れを洗浄して除去するのに使用される洗浄装置に関するものである。
【０００２】
【従来の技術】
帆立貝、あこや貝、牡蠣等の一部は耳吊り養殖されている。この養殖は、貝の耳に開けた穴に樹脂製のてぐすや係止具を通し、その係止具を縦ロープにその長手方向に間隔をあけて多数差し込んで係止し、その縦ロープを海中の水面近くに横向きに張った横ロープに係止して海中に吊下げて行う。
【０００３】
耳吊り養殖では貝を海中に吊しておく間に、貝の表面にムラサキイガイとか他の貝、或は海草や海中の塵芥、生物等が付着する。これらが付着すると貝の成長に好ましくなく、また、出荷時には汚れて体裁が悪いので、養殖の途中で貝を海から引上げて洗浄して汚れや付着物を除去したりしている。
【０００４】
従来は図６、７に示すような洗浄装置を用いて前記の様な洗浄を行っていた。この洗浄装置は船舶に搭載して使用するものであり、支持脚Ａにより支えられた投入台Ｂの上に海中から引上げた縦ロープＣをのせて、その先の網製のコンベアＤの上に送り込むと、貝Ｅが係止されている縦ロープＣが貝ＥごとコンベアＤとその上の押し具Ｆとの間に引込まれてその間を通過し、その通過中に押し具Ｆの上方とコンベアＤの下方に配置された回転ノズルＧから水を噴射して貝Ｅの表面を洗浄するようにしたものである。回転ノズルＧは十字状の４本のパイプＨの夫々の先端に設けられており、その４本のパイプＨが回転軸Ｉを中心にして水平回転するようにしてある。
【０００５】
【発明が解決しようとする課題】
図６、７の洗浄装置はそれなりに十分機能はするが、強いてあげれば大型で、重いため、船に積みにくいとか、船から降ろしにくいとか、設置に場所をとるといった不都合があった。
【０００６】
本発明の目的は、小型、軽量化が可能であり、それにも拘らず貝への付着物の除去や貝の洗浄力に優れ、また、耳吊り養殖の貝だけではなく、網篭に入れて海中に吊して養殖した貝を網篭ごと洗浄したり、差し網等を洗浄したり、更には海中から採取した昆布等を洗浄することもできる多用途の洗浄装置を提供することにある。
【０００７】
【課題を解決するための手段】
本発明の第１の洗浄装置は、被洗浄物５が取り付けられた縦ロープ１２を搬送体１と押し具４の間を通過させ、その通過中に被洗浄物５及び縦ロープ１２に洗浄具６から液体を噴射してそれらを洗浄する洗浄装置において、前記搬送体１は通孔２が多数形成された穴開き材３により横向きドラム状に形成して回転自在とし、その搬送体１の外側に押し具４を設け、前記搬送体１の内側と外側に搬送体１と押し具４の間を通過する被洗浄物５及び縦ロープ１２に洗浄液を吹き付けてそれらを洗浄する洗浄具６を設けたものである。
【０００８】
本発明の第２の洗浄装置は、被洗浄物５が取り付けられた縦ロープ１２を搬送体１と押し具４の間を通過させ、その通過中に洗浄具６から液体を噴射して被洗浄物５及び縦ロープ１２を洗浄する洗浄装置において、前記搬送体１は通孔２が多数形成された穴開き材３により横向きドラム状に形成して回転自在とし、前記搬送体１及び洗浄具６が筐体８０内に収納され、前記筐体８０は入り口８０ａと、出口８０ｂと、側面８３に外側に向って開口された縦ロープ挿入口８４が形成され、縦ロープ挿入口８４は筐体８０のうち前記搬送体１の上側方に開口され且つ筐体８０の入り口８０ａと出口８０ｂに連通して開口されて、外部から導入される被洗浄物５が取り付けられた縦ロープ１２を筐体８０内の搬送体１の上に導入できるようにしてある。
【０００９】
本発明の第３の洗浄装置は、請求項２記載の洗浄装置において、筐体８０内に被洗浄物５が取り付けられた縦ロープ１２を案内する案内バー８５が設けられ、案内バー８５は縦ロープ挿入口８４から導入される前記縦ロープ１２を筐体８０内の搬送体１の上方に案内して、その縦ロープ１２が搬送体１と筐体８０の入り口側の案内ドラム１０との間に落ち込むのを防止すると共に、当該縦ロープ１２を搬送体１の外周面上部に送り込むことができるようにしてある。
【００１０】
【発明の実施の形態１】
本発明の洗浄装置の実施の形態の一例を図１〜３に基づいて詳細に説明する。この洗浄装置は図１に示すように貝（被洗浄物）５が取り付けられた縦ロープ１２をガイドする横向きドラム状の搬送体１と、縦ロープ１２を搬送体１との間に被洗浄物５を挟む押し具４と、挟まれた被洗浄物５に洗浄液を噴射して被洗浄物５を洗浄する洗浄具６と、被洗浄物５を洗浄した汚水や被洗浄物５から除去された汚物等を搬送体１の外部に排出する排出路７と、洗浄済の被洗浄物５を搬送体１の外部に送り出すシュータ８と、海中から引上げる被洗浄物５が取付けられた縦ロープ１２をガイドして搬送体１に送り込む案内ドラム１０と、搬送体１を船舶に着脱可能な装着部１１を備えてなる。
【００１１】
搬送体１は図１に示す様に、円形リング状の２つの枠体９の間に金網（穴開き材）３を下方に垂れ下がる様にスプリング１３によりたるみを持たせて横向きドラム状に吊下げてなり、この搬送体１は図２に示す様にローラ１４、スプロケット６２により回転できるように支持されており、スプロケット６２をモータ等の駆動体で回転させるようにしてある。上記穴開き材３はスプリング１３以外の手段により枠体９に吊下げても良いし、又直接枠体９に取り付けても良い。
【００１２】
押し具４は図１に示す様に、横長の支持材１６の下方前方に突出するように湾曲する数本の押し爪１７が取り付けられており、その押し爪１７は搬送体１の穴開き材３の上面に接触するか、少し離れて対向するように配置されて、搬送体１の上に送り込まれる被洗浄物５が押し爪１７との間に挟まれながら、搬送体１の外周面に沿って搬送されるようにしてある。
【００１３】
洗浄具６は搬送体１と押し具４との間に挟まれた被洗浄物５と縦ロープ１２とを洗浄するためのものであり、押し具４の上方と搬送体１の内部空間との間に配置されて上下に対向させてある。この洗浄具６は回転可能な給水パイプ１８から３本の分岐パイプ１９が分岐され、夫々の分岐パイプ１９の先端に噴射ノズル２０が取り付けられており、給水パイプ１８が回転すると分岐パイプ１９及び噴射ノズル２０が回転して、搬送体１と押し具４との間に挟まれた被洗浄物５に万遍なく洗浄液が噴射されるようにしてある。洗浄具６の回転機構としては、例えば図３に示す様に、モータＭのモータプーリー５０と駆動シャフト５１の端部に取り付けられている下部プーリー５３との間に駆動ベルト５４を掛け、駆動シャフト５１の上部プーリー５５と下方給水パイプ１８に取り付けられている下方受動プーリー５６との間に下方伝達ベルト５７を掛け、駆動シャフト５１の他端に取り付けられている上方プーリー５８と上方給水パイプ１８に取り付けられている上方受動プーリー５９との間に上方伝達ベルト６０を掛けて、モータプーリー５０が回転すると上下の給水パイプ１８が同時に回転するようにする。
【００１４】
排出路７は上方開口の樋状に形成し、それが横向き筒状の搬送体１の内部に外側下り傾斜に配置されて、被洗浄物５を洗浄した汚水や洗浄時に被洗浄物５から除去された付着物を受けて、搬送体１の外部に滑落させて排出できるようにしてある。
【００１５】
シュータ８も上方開口の樋状に形成されており、それを搬送体１の上方から先方に下り傾斜に配置して、洗浄具６から噴射される洗浄液により洗浄された被洗浄物５が自動的に送り込まれて外部に送り出されるようにしてある。
【００１６】
案内ドラム１０は円筒状の胴３０の軸方向両側に胴３０よりも径の大きな２枚の鍔３１が対向して設けられており、これは図２に示す様に、回転軸３２をモータ等の駆動体で回転させるようにしてあり、且つ取外し可能である。この場合、案内ドラム１０を搬送体１と同期回転させて、その回転により海中から引上げた縦ロープ１２が案内ドラム１０にスムースに送り込まれるようにしてある。ちなみに、案内ドラム１０と搬送体１との回転が同期せずに、案内ドラム１０の回転が搬送体１の回転よりも速過ぎると縦ロープ１２の送り込み量が多くなって同ロープ１２が搬送体１の手前に溜って絡まったりし、逆に案内ドラム１０の回転が搬送体１の回転よりも遅過ぎると搬送体１による縦ロープ１２の引込みが速過ぎて縦ロープ１２が切れる虞れがある。搬送体１と案内ドラム１０とを同期回転させるためには、例えば図３に示すように搬送体１の外周にチェーン６１を取り付け、同チェーン６１の外周にスプロケット６２を噛ませても良いし、搬送体１の内周にチェーン６１を取り付け、同チェーン６１の内周にスプロケット６２を噛ませても良い。
又、モータの内側プーリー６４とアイドラスプロケット６５との間に駆動チェーン６６を掛け、同チェーン６６の外周に上記スプロケット６２を噛ませて搬送体１の回転方向がモータｍの回転方向とは逆になる様にする。更に、モータｍの外側プーリー６７と案内ドラム１０の受動プーリー６８との間に伝達ベルト６９を掛けて、内側プーリー６４及び外側プーリー６７が回転すると搬送体１及び案内ドラム１０が同期回転するようにする。
【００１７】
装着部１１は搬送体１と案内ドラム１０とを船舶に装着するためのものであり、図２に示す様に船舶の縁３３に被せることができるように下向きのコ字型に形成された取り付け具４０と伸縮可能で船舶の床３４に固定することができる支持具４１とからなる。取り付け具４０は船舶の縁３３に被せてボルト４２とナット４３とにより船舶の縁３３に固定できるようにしてあり、支持具４１は伸縮部４４を伸縮させて船舶の縁３３と床３４との距離に合わせた後、ナット４５を締付けると円板状の押し付け具４６が船舶の床３４に押し付けられて搬送体１と案内ドラム１０とを支持できるようにしてある。
【００１８】
【発明の実施の形態２】
本発明の洗浄装置の第２の実施の形態を図４に示す。この洗浄装置は搬送体１と案内ドラム１０と洗浄具６の三者を一つのモータＭで回転させるようにしたものであり、モータＭのモータプーリー７０が回転するとギアボックス７１内のギアを介して受動プーリー７２が回転し、動力伝達ベルト７３を介して案内ドラム１０の受動プーリー６８が回転し、同ドラム１０が回転する。
このとき、その回転と同期して図示されていないスプロケットから、同スプロケットにその外周が噛み合っているチェーン６１へとモータＭの回転が伝達されて搬送体１が回転し、更に、モータプーリー７０の回転により下部プーリー５３−上部プーリー５５−駆動シャフト５１−上方プーリー５８が回転する。その回転に伴って駆動ベルト５４−下方伝達ベルト５７−下方受動プーリー５６が回転して下方給水パイプ１８が回転し、同時に、上方伝達ベルト６０−上方受動プーリー５９が回転して上方給水パイプ１８が回転するようにしてある。
【００１９】
【発明の実施の形態３】
本発明の洗浄装置の第３の実施の形態を図５に示す。この洗浄装置は、搬送体１が筐体８０内に収納され、案内ドラム１０が、筐体８０と一体に形成されて、同筐体８０の手前方側面８１から外側に向って突殺された２枚の支持片８２の間に、回転軸３２を渡すことにより回転可能に取り付けられたものである。筐体８０の右側面８３の下部からは排出路７が突出し、後方側面からはシュータ８（図５においては後方側面、シュータ８は共に隠れて見えない）が突出する様になっている。前記筐体８０の右側面８３は、外側に向って開放され、その開放部が縦ロープ挿入口８４を形成する様になっている。又、搬送体１の縦ロープ挿入口８４側の枠体９及び案内ドラム１０の縦ロープ挿入口８４側の鍔３１に渡して、しかも、それらの枠体９及び鍔３１に密着しない様にして、取外し可能に案内バー８５が取り付けられており、縦ロープ１２を縦ロープ挿入口８４から案内バー８５の上を通して筐体８０内に挿入する様にすれば、縦ロープ１２が搬送体１と案内ドラム１０との間に落ち込むことが無く、縦ロープ１２を搬送体１の外周面上部に容易に送り込むことができる。ちなみに案内バー８５には例えば直径１０〜１２ｍｍ程度の金属製の棒を用いるのが良い。
又、洗浄装置の駆動方法、船舶への装着方法は、上記実施の形態１、２と同様のもので差し支えないが、別の方法を採っても構わない。
【００２０】
【使用例】
図１〜図５に示す本発明の洗浄装置を用いて、耳吊り養殖貝を洗浄するには例えば次の様にする。
１．本発明の洗浄装置の装着部１１を利用して船舶に取り付ける。
２．多数の帆立貝５が係止されている縦ロープ１２を海中から引上げ、その縦ロープ１２を帆立貝５が係止されたまま案内ドラム１０の外周に掛けて搬送体１の外周面上部に送り込む。
３．搬送体１に送られた縦ロープ１２及び帆立貝５は、搬送体１と押し具４との間に挟まれる。この状態で搬送体１と案内ドラム１０とを同期回転させると、帆立貝５が係止されている縦ロープ１２が海中から連続的に引上げられる。このとき、引上げられた縦ロープ１２が案内ドラム１０に案内されて搬送体１にスムースに送り込まれる。
４．その通過中に、上下の洗浄具６から洗浄液を噴射して帆立貝５及び縦ロープ１２を上下から洗浄する。このとき、帆立貝５に付着しているムラサキイガイとか他の生物、或は塵芥等をも除去する。この場合、穴開き材３が下方に垂れ下がる様にたるみを持って枠体９に取り付けられているため、搬送体１の外周面の天頂部がやや平面状になり、その上の帆立貝５及び縦ロープ１２が安定する。また、搬送体１の外周面が真円の場合よりも帆立貝５及び縦ロープ１２の走行距離が多少伸びるため、洗浄具６から噴射された洗浄液が帆立貝５及び縦ロープ１２に均等に当り易くなり、汚れが落ち易くなる。
５．洗浄されて奇麗になった帆立貝５及び縦ロープ１２は、シュータ８の上を通過して海中に戻されたり、船内に回収される。
６．洗浄により除去された付着物及び洗浄後の汚水は、排出路７に収受されて搬送体１の外部に排出され、船内の図示されていない回収容器等に回収され、その後は図示されていないフィルタで濾過する等して処理される。
【００２１】
【発明の効果】
本発明の第１の洗浄装置は、搬送体を横向きドラム状に形成したので小型、軽量化が可能である。また、被洗浄物が搬送体と押し具との間を通過するので、被洗浄物に洗浄液を噴射しても被洗浄物が安定し、被洗浄物の汚れが落ち易くなり、付着物が除去され易くなる。
【００２２】
本発明の第１の洗浄装置に、排出路とシュータの双方又は一方を設ければ、排出路により洗浄済の汚水を所望箇所に回収することができ、海水や船内を汚すことが無い。又、シュータにより洗浄済の被洗浄物を案内して海中に戻したり、船内の所望箇所に収容したりするのに都合が良い、という効果もある。
【００２３】
本発明の第１の洗浄装置は、枠体に穴開き材を下方に垂れ下がる様にたるみを持たせて取り付けてドラム状の搬送体とすれば、搬送体と押し具との間に被洗浄物を挟み易くなり、被洗浄物が安定し、洗浄液が当っても被洗浄物の位置がずれたり、被洗浄物が裏返しになったりすることがなく、被洗浄物に確実に当るので被洗浄物の汚れが落ち易くなる、という効果もある。
【００２４】
本発明の第１の洗浄装置は、洗浄具が水平回転するので、洗浄具から噴射される洗浄液が被洗浄物の全般に当って汚れがより一層落ち易くなる、という効果もある。
【００２５】
本発明の第１の洗浄装置は、案内ドラムを設ければ、被洗浄物を海中から引上げ易くなり、また、引上げた被洗浄物を搬送体に送り込み易くなる。また、案内ドラムが搬送体と同期回転する様にしたので、案内ドラムによる搬送体への被洗浄物の送り込み量が安定し、被洗浄物の送り込み量が多すぎて被洗浄物が搬送体と押し具との間に詰まったり、絡まったりすることがなく、送り込みが安定し、円滑に洗浄することができる、という効果もある。
【００２６】
本発明の第１の洗浄装置は、搬送体を船舶に着脱可能な装着部を設ければ、洗浄装置を船上で使用するのに便利である、という効果もある。
【図面の簡単な説明】
【図１】  本発明の洗浄装置の一例を示す斜視図。
【図２】  本発明の洗浄装置の船舶への取り付け例を示す斜視図。
【図３】  本発明の洗浄装置の搬送体と案内ドラムと洗浄具の回転機構の一例の説明図。
【図４】  本発明の洗浄装置の搬送体と案内ドラムと洗浄具の回転機構の他例の説明図。
【図５】  本発明の洗浄装置の第３の実施形態を示す斜視図。
【図６】  従来の洗浄装置の側面説明図。
【図７】  従来の洗浄装置の平面説明図。
【符号の説明】
１  搬送体
２  通孔
３  穴開き材
４  押し具
５  被洗浄物
６  洗浄具
７  排出路
８  シュータ
９  枠体
１０  案内ドラム
１１  装着部
８０  筐体
８０ａ  筐体の入り口
８０ｂ  筐体の出口
８４  縦ロープ挿入口
【図１】
0003862645.tif 000002
【図２】
0003862645.tif 000003
【図３】
0003862645.tif 000004
【図４】
0003862645.tif 000005
【図５】
0003862645.tif 000006
【図６】
0003862645.tif 000007
【図７】
0003862645.tif 000008